(57)【要約】【課題】残り僅かになっている液体を使用する際に、この液体中にパイプの下端開口部を浸漬させるのに要する時間を短縮する。【解決手段】内部に液体が充填される容器本体１１と、この容器本体１１の口部１１ａに装着されたポンプ部１２と、が備えられ、このポンプ部１２は、ノズル１３を有し、かつ上方付勢状態で設けられた押下ヘッド１４と、この押下ヘッド１４の下端から下方に向けて延設され、内部がノズル１３と連通可能なシリンダ部１５と、このシリンダ部１５の下端から下方に向けて延設され容器本体１１内の底部１１ｂに開口し、かつ内部がシリンダ部１５の内部と連通されたパイプ１６と、を備えた押下式液体吐出容器１０であって、容器本体１１の底部１１ｂの内面は、パイプ１６の下端開口部１６ａが開口する部分に向かうに従い漸次下方に向けて傾斜した１つまたは複数の傾斜面で構成されている。【選択図】図１
2008056310.tif 000002
【特許請求の範囲】
【請求項１】
内部に液体が充填される容器本体と、この容器本体の口部に装着されたポンプ部と、が備えられ、
このポンプ部は、ノズルを有し、かつ上方付勢状態で設けられた押下ヘッドと、この押下ヘッドの下端から下方に向けて延設され、内部が前記ノズルと連通可能なシリンダ部と、このシリンダ部の下端から下方に向けて延設され前記容器本体内の底部に開口し、かつ内部が前記シリンダ部の内部と連通されたパイプと、を備えた押下式液体吐出容器であって、
前記容器本体の底部の内面は、前記パイプの下端開口部が開口する部分に向かうに従い漸次下方に向けて傾斜した１つまたは複数の傾斜面で構成されていることを特徴とする押下式液体吐出容器。
【請求項２】
請求項１記載の押下式液体吐出容器であって、
前記パイプは、その下端開口部が前記底部の内面における周縁部に向くように湾曲していることを特徴とする押下式液体吐出容器。
【請求項３】
請求項２記載の押下式液体吐出容器であって、
前記押下ヘッドは、前記ポンプ部が容器本体に装着された状態で、この容器本体の中心軸線回りに前記シリンダ部およびパイプに対して回転不能に設けられ、
この容器の上面視において、前記ノズルが開口する方向と、前記パイプが前記周縁部に向けて湾曲する方向と、が一致していることを特徴とする押下式液体吐出容器。
【請求項４】
請求項２または３に記載の押下式液体吐出容器であって、
前記容器本体の口部に雄ねじ部が形成されるとともに、前記ポンプ部には内周面に雌ねじ部が形成された装着キャップが設けられ、この装着キャップを前記口部に螺着することにより前記ポンプ部が口部に装着され、
前記雄ねじ部および雌ねじ部それぞれにおいて、これらの両ねじ部を螺合する際に互いが螺合し始める螺合始まり部、および互いが螺合したときに前記装着キャップの口部への螺着が完了する螺合終わり部の前記中心軸線回りの各周方向位置は、
前記装着キャップの口部への螺着が完了したときに、前記パイプの下端開口部が、前記底部の内面において最も下方に位置する部分に当接するようにそれぞれ設定されていることを特徴とする押下式液体吐出容器。
【発明の詳細な説明】
【技術分野】
【０００１】
本発明は、押下式液体吐出容器に関するものである。
【背景技術】
【０００２】
この種の容器として、内部に液体が充填される容器本体と、この容器本体の口部に装着されたポンプ部と、が備えられ、このポンプ部は、ノズルを有し、かつ上方付勢状態で設けられた押下ヘッドと、この押下ヘッドの下端から下方に向けて延設され、内部が前記ノズルと連通可能なシリンダ部と、このシリンダ部の下端から下方に向けて延設され前記容器本体内の底部に開口し、かつ内部が前記シリンダ部の内部と連通されたパイプと、を備えた構成が知られている。そして、近年では、例えば下記特許文献１に示されるような、前記パイプを、その下端開口部が容器本体の底部の内面における周縁部に向くように湾曲させた構成が提案されている。
この容器では、残り僅かになっている液体の使用に際して、まず、この容器を傾け、液体を容器本体の底部の内面を伝らせて、この内面の周縁部においてパイプの下端開口部が開口している部分に集めることによって、パイプの下端開口部をこの液体中に浸漬させる。この状態でポンプ部の押下ヘッドを押下することにより、前記残り僅かな液体を良好に吐出することが可能になり、吐出不能となる容器本体内の液体の残存量を低減することができるようになっている。
【特許文献１】特開平７−２５７６６９号公報
【発明の開示】
【発明が解決しようとする課題】
【０００３】
しかしながら、前記従来の押下式液体吐出容器では、残り僅かになっている液体の使用に際し、容器を傾けてから、前述のようにパイプの下端開口部をこの液体中に浸漬させるまでに時間がかかり、その結果、液体の残存量を低減することができなくなるおそれがあった。
【０００４】
本発明は、このような事情を考慮してなされたもので、残り僅かになっている液体を使用する際に、この液体中にパイプの下端開口部を浸漬させるのに要する時間を短縮することができる押下式液体吐出容器を提供することを目的とする。
【課題を解決するための手段】
【０００５】
このような課題を解決して、前記目的を達成するために、本発明の押下式液体吐出容器は、内部に液体が充填される容器本体と、この容器本体の口部に装着されたポンプ部と、が備えられ、このポンプ部は、ノズルを有し、かつ上方付勢状態で設けられた押下ヘッドと、この押下ヘッドの下端から下方に向けて延設され、内部が前記ノズルと連通可能なシリンダ部と、このシリンダ部の下端から下方に向けて延設され前記容器本体内の底部に開口し、かつ内部が前記シリンダ部の内部と連通されたパイプと、を備えた押下式液体吐出容器であって、前記容器本体の底部の内面は、前記パイプの下端開口部が開口する部分に向かうに従い漸次下方に向けて傾斜した１つまたは複数の傾斜面で構成されていることを特徴とする。
この発明によれば、容器本体の底部の内面が、パイプの下端開口部が開口する部分に向かうに従い漸次下方に向けて傾斜した１つまたは複数の傾斜面で構成されているので、容器本体内の液体が残り僅かになっていても、液体の不使用時に押下式液体吐出容器を例えば正立させて放置しておけば、液体を使用するまでの間に、この液体を、前記底部の内面を伝らせて、この内面においてパイプの下端開口部が開口している部分に集めておくことが可能になる。したがって、残り僅かになっている液体を使用する際に、この液体中にパイプの下端開口部を浸漬させるのに要する時間を短縮することが可能になり、容器本体内の液体の残存量を低減することができる。
【０００６】
ここで、前記パイプは、その下端開口部が前記底部の内面における周縁部に向くように湾曲してもよい。
【０００７】
また、前記押下ヘッドは、前記ポンプ部が容器本体に装着された状態で、この容器本体の中心軸線回りに前記シリンダ部およびパイプに対して回転不能に設けられ、この容器の上面視において、前記ノズルが開口する方向と、前記パイプが前記周縁部に向けて湾曲する方向と、が一致してもよい。
この場合、残り僅かになっている液体を使用する際に、前記ノズルが斜め下方に向くように押下式液体吐出容器を傾けると、前記底部の内面の周縁部においてパイプの下端開口部が開口している部分に、前述のように集められている液体に加えさらに追加して液体を集めることが可能になり、容器本体内の液体の残存量を一層低減することができるとともに、この容器の取り扱い性を向上させることができる。
【０００８】
さらに、前記容器本体の口部に雄ねじ部が形成されるとともに、前記ポンプ部には内周面に雌ねじ部が形成された装着キャップが設けられ、この装着キャップを前記口部に螺着することにより前記ポンプ部が口部に装着され、前記雄ねじ部および雌ねじ部それぞれにおいて、これらの両ねじ部を螺合する際に互いが螺合し始める螺合始まり部、および互いが螺合したときに前記装着キャップの口部への螺着が完了する螺合終わり部の前記中心軸線回りの各周方向位置は、前記装着キャップの口部への螺着が完了したときに、前記パイプの下端開口部が、前記底部の内面において最も下方に位置する部分に当接するようにそれぞれ設定されてもよい。
【発明の効果】
【０００９】
本発明に係る押下式液体吐出容器によれば、残り僅かになっている液体を使用する際に、この液体中にパイプの下端開口部を浸漬させるのに要する時間を短縮することが可能になり、容器本体内の液体の残存量を低減することができる。
また、残り僅かになっている液体を使用する際に、容器本体の底部の内面の周縁部においてパイプの下端開口部が開口している部分に、追加的に液体を集めることが可能になり、容器本体内の液体の残存量を一層低減することができるとともに、この容器の取り扱い性を向上させることができる。
【発明を実施するための最良の形態】
【００１０】
以下、図面を参照し、この発明の実施の形態について説明する。図１および図２は、この発明の一実施形態として示した押下式液体吐出容器の概略構成を示すものである。
本実施形態の押下式液体吐出容器１０は、内部に液体が充填される容器本体１１と、この容器本体１１の口部１１ａに装着されたポンプ部１２と、を備えている。
【００１１】
容器本体１１は、底部１１ｂからその中心軸線Ｏ方向上方に向けて胴部１１ｃ、肩部１１ｄ、および口部１１ａがこの順に中心軸線Ｏと同軸上に連設された有底筒状とされ、このうち底部１１ｂ、胴部１１ｃ、および肩部１１ｄは上面視矩形とされ、口部１１ａは上面視円形とされている。また、口部１１ａの外周面には雄ねじ部１１ｅが形成されている。
なお、容器本体１１の中心軸線Ｏは、容器本体１１の径方向に直交し、かつこの径方向の中央部を通る仮想直線とされている。
【００１２】
ポンプ部１２は、ノズル１３を有し、かつ口部１１ａの上方に上方付勢状態で設けられた押下ヘッド１４と、この押下ヘッド１４の下端から下方に向けて延設され、内部がノズル１３と連通可能なシリンダ部１５と、このシリンダ部１５の下端から下方に向けて延設され容器本体１１内の底部１１ｂに開口し、かつ内部がシリンダ部１５の内部と連通されたパイプ１６と、を備えている。
【００１３】
図示の例では、シリンダ部１５は、容器本体１１内に差し込まれ、その下端部にパイプ１６が嵌合されたシリンダ本体１５ａと、このシリンダ本体１５ａ内に上下摺動可能に設けられ、その上端部が押下ヘッド１４に嵌合されたステム１５ｂと、シリンダ本体１５ａ内において、その下端とステム１５ｂの下端との間に設けられ、このステム１５ｂを介して押下ヘッド１４を上方付勢状態で支持する図示されないコイルスプリングとを備えている。以上の、押下ヘッド１４、シリンダ本体１５ａ、ステム１５ｂおよびコイルスプリングは、前記中心軸線Ｏと同軸上に設けられている。
【００１４】
ここで、押下ヘッド１４は、天板部１４ａとこの天板部１４ａの外周縁から垂下した周壁部１４ｂとを備えるキャップ状体とされ、天板部１４ａの内面に、嵌合筒部１４ｃが垂設されている。図示の例では、この嵌合筒部１４ｃにステム１５ｂの上端部が嵌合されている。これにより、押下ヘッド１４を上下動させたときに、ステム１５ｂも押下ヘッド１４とともに上下動するようになっている。また、周壁部１４ｂの内周面には、前記中心軸線Ｏ方向に延びるガイド突部１４ｄが形成されている。
【００１５】
さらに、ポンプ部１２には、このポンプ部１２を容器本体１１の口部１１ａに装着する装着キャップ１７が設けられている。装着キャップ１７は、上面視円形の天板部１７ａと、この天板部１７ａの外周縁から垂下した周壁部１７ｂとを備えている。そして、周壁部１７ｂの内周面に、容器本体１１の口部１１ａに形成された雄ねじ部１１ｅに着脱可能に螺合された雌ねじ部１７ｃが形成されている。
【００１６】
さらに、本実施形態では、天板部１７ａの径方向中央部に貫通孔が形成され、天板部１７ａの表面に、この貫通孔と同軸上に第１筒部１７ｄが立設されている。また、この第１筒部１７ｄの内周面において前記中心軸線Ｏ方向の中央部には、第２筒部１７ｅが垂設されている。さらに、第１筒部１７ｄの外周面には、前記中心軸線Ｏ方向における全長にわたってガイド溝１７ｆが形成されている。
【００１７】
以上のように構成された装着キャップ１７において、第１筒部１７ｄの内周面と、第２筒部１７ｅの外周面との間に、シリンダ本体１５ａの上端部が固定状態で嵌合されている。また、シリンダ本体１５ａの内周面と第２筒部１７ｅの内周面との間には、段差がなく略面一となっている。さらに、ステム１５ｂの外周面と第２筒部１７ｅの内周面とが当接しており、押下ヘッド１４をステム１５ｂとともに上下動させたときに、ステム１５ｂの外周面が、第２筒部１７ｅの内周面およびシリンダ本体１５ａの内周面に摺接するようになっている。
【００１８】
また、押下ヘッド１４のガイド突部１４ｄがガイド溝１７ｆに係合しており、押下ヘッド１４を上下動させたときに、このガイド突部１４ｄがガイド溝１７ｆに摺接するようになっている。これにより、押下ヘッド１４は、ポンプ部１２が容器本体１１に装着された状態で、その上昇端位置および下降端位置の別を問わず、前記中心軸線Ｏ回りにシリンダ部１５およびパイプ１６に対して回転不能となっている。
【００１９】
さらに、以上の装着キャップ１７と容器本体１１とを前記中心軸線Ｏ回りに相対的に回転させて雄ねじ部１１ｅと雌ねじ部１７ｃとを螺合するときに、押下ヘッド１４、シリンダ部１５およびパイプ１６は、装着キャップ１７に対して前記中心軸線Ｏ回りに回転不能となっている。すなわち、例えば装着キャップ１７を前記中心軸線Ｏ回りに回転させて雄ねじ部１１ｅと雌ねじ部１７ｃとを螺合するときに、押下ヘッド１４、シリンダ部１５およびパイプ１６も装着キャップ１７とともに前記中心軸線Ｏ回りに回転するようになっている。
【００２０】
そして、本実施形態では、パイプ１６は、その下端開口部１６ａが容器本体１１の底部１１ｂの内面における周縁部に向くように湾曲させられて形成され、容器本体１１の底部１１ｂの内面は、その周縁部のうちパイプ１６の下端開口部１６ａが開口する部分に向かうに従い漸次下方に向けて傾斜した１つまたは複数の傾斜面で構成されている。
図示の例では、パイプ１６は、前記中心軸線Ｏ方向の上側部分がこの中心軸線Ｏと同軸上に設けられた状態で、前記下端開口部１６ａが前記周縁部に向くように、前記中心軸線Ｏ方向の中央部が屈曲している。
【００２１】
ここで、本実施形態では、前記底部１１ｂの内面は、図２に示されるように上面視矩形とされており、その周縁部は、それぞれが直線状とされた第１外周縁１１ｇと第２外周縁１１ｈと第３外周縁１１ｉと第４外周縁１１ｊとで構成されている。このうち、第１外周縁１１ｇにおいてその長さ方向中央部に、パイプ１６の下端開口部１６ａが開口している。そして、この底部１１ｂの内面は、前記中心軸線Ｏを挟んで第１外周縁１１ｇの反対側に位置する第２外周縁１１ｈから第１外周縁１１ｇに向かうに従い漸次下方に向けて傾斜している。図示の例では、この底部１１ｂの内面は、この内面において、第１外周縁１１ｇがその全長にわたって最も下方に位置されるように全面が傾斜した傾斜平面となっている。また、この底部１１ｂの内面、および胴部１１ｃの内面において第１外周縁１１ｇに連なる部分に、パイプ１６の下端開口部１６ａが当接している。
【００２２】
さらに、本実施形態では、この容器１０の上面視において、ノズル１３が開口する方向と、パイプ１６が第１外周縁１１ｇに向けて湾曲する方向と、第２外周縁１１ｈから第１外周縁１１ｇに向かう方向、つまり容器本体１１の底部１１ｂの内面が下方に向けて傾斜する方向と、が一致している。
【００２３】
また、本実施形態では、前述した雄ねじ部１１ｅおよび雌ねじ部１７ｃそれぞれにおいて、これらの両ねじ部１１ｅ、１７ｃを螺合する際に互いが螺合し始める図示されない螺合始まり部、および互いが螺合したときに装着キャップ１７の口部１１ａへの螺着が完了する図示されない螺合終わり部の前記中心軸線Ｏ回りの各周方向位置と、ねじの巻数と、１回転当たりの前記中心軸線Ｏ方向の移動量とが、装着キャップ１７の口部１１ａへの螺着が完了したときに、パイプ１６の下端開口部１６ａが、前記底部１１ｂの内面において最も下方に位置する部分、つまり第１外周縁１１ｇに向けて開口し、かつこの底部１１ｂの内面、および胴部１１ｃの内面において第１外周縁１１ｇに連なる部分に当接するようにそれぞれ設定されている。
なお、雄ねじ部１１ｅの螺合始まり部は、この雄ねじ部１１ｅの上端部を構成し、雄ねじ部１１ｅの螺合終わり部は、この雄ねじ部１１ｅの下端部を構成している。また、雌ねじ部１７ｃの螺合始まり部は、この雌ねじ部１７ｃの下端部を構成し、雌ねじ部１７ｃの螺合終わり部は、この雌ねじ部１７ｃの上端部を構成している。
【００２４】
例えば、ポンプ部１２においては、ノズル１３が開口する前記中心軸線Ｏ回りの周方向位置と、パイプ１６の下端開口部１６ａが位置する前記中心軸線Ｏ回りの周方向位置と、装着キャップ１７の雌ねじ部１７ｃにおける前記螺合始まり部および螺合終わり部それぞれの前記中心軸線Ｏ回りの周方向位置と、を一致させる一方、容器本体１１においては、第１外周縁１１ｇの前記中心軸線Ｏ回りの周方向位置と、口部１１ａの雄ねじ部１１ｅにおける前記螺合始まり部および螺合終わり部それぞれの前記中心軸線Ｏ回りの周方向位置と、を一致させることによって、装着キャップ１７の口部１１ａへの螺着が完了したときに、パイプ１６の下端開口部１６ａが、前記底部１１ｂの内面において最も下方に位置する部分、つまり第１外周縁１１ｇに向けて開口し、かつこの底部１１ｂの内面、および胴部１１ｃの内面において第１外周縁１１ｇに連なる部分に当接することになる。
【００２５】
なお、これに代えて、ポンプ部１２においては、ノズル１３が開口する前記周方向位置と、パイプ１６の下端開口部１６ａが位置する前記周方向位置と、を一致させた状態で、この周方向位置に対して、装着キャップ１７の雌ねじ部１７ｃにおける前記螺合始まり部および螺合終わり部それぞれの前記中心軸線Ｏ回りの周方向位置をずらす一方、容器本体１１においても、第１外周縁１１ｇの前記中心軸線Ｏ回りの周方向位置に対して、口部１１ａの雄ねじ部１１ｅにおける螺合始まり部および螺合終わり部それぞれの前記中心軸線Ｏ回りの周方向位置をずらしてもよい。
【００２６】
以上説明したように、本実施形態による押下式液体吐出容器１０によれば、容器本体１１の底部１１ｂの内面が、この内面において、第１外周縁１１ｇがその全長にわたって最も下方に位置されるように全面が傾斜した傾斜平面となっているので、容器本体１１内の液体が残り僅かになっていても、液体の不使用時に押下式液体吐出容器１０を例えば正立させて放置しておけば、液体を使用するまでの間に、この液体を、底部１１ｂの内面を伝らせて、パイプ１６の下端開口部１６ａが開口している第１外周縁１１ｇに集めておくことが可能になる。したがって、残り僅かになっている液体を使用する際に、この液体中にパイプ１６の下端開口部１６ａを浸漬させるのに要する時間を短縮することが可能になり、容器本体１１内の液体の残存量を低減することができる。
【００２７】
また、本実施形態では、押下ヘッド１４が、ポンプ部１２が容器本体１１に装着された状態で、この容器本体１１の中心軸線Ｏ回りにシリンダ部１５およびパイプ１６に対して回転不能とされ、この容器１０の上面視において、ノズル１３が開口する方向と、パイプ１６が第１外周縁１１ｇに向けて湾曲する方向と、が一致しているので、残り僅かになっている液体を使用する際に、ノズル１３が斜め下方に向くように押下式液体吐出容器１０を傾けると、底部１１ｂの内面の周縁部においてパイプ１６の下端開口部１６ａが開口している部分に、前述のように集められている液体に加えさらに追加して液体を集めることが可能になり、容器本体１１内の液体の残存量を一層低減することができるとともに、この容器１０の取り扱い性を向上させることができる。
【００２８】
さらに、本実施形態では、前記底部１１ｂの内面が、この内面において、第１外周縁１１ｇがその全長にわたって最も下方に位置されるように全面が傾斜した傾斜平面となっており、しかも前記雄ねじ部１１ｅおよび雌ねじ部１７ｃそれぞれにおいて、前記螺合始まり部、および前記螺合終わり部の前記中心軸線Ｏ回りの各周方向位置と、ねじの巻数と、１回転当たりの前記中心軸線Ｏの移動量とが、装着キャップ１７の口部１１ａへの螺着が完了したときに、パイプ１６の下端開口部１６ａが第１外周縁１１ｇに向けて開口し、かつこの底部１１ｂの内面、および胴部１１ｃの内面において第１外周縁１１ｇに連なる部分に当接するようにそれぞれ設定されているので、パイプ１６が前記のように湾曲していても、装着キャップ１７を口部１１ａに装着する際に、このパイプ１６の下端開口部１６ａが底部１１ｂの内面に引っ掛かるのを防ぐことが可能になり、この底部１１ｂの内面、および胴部１１ｃの内面において第１外周縁１１ｇに連なる部分に、パイプ１６の下端開口部１６ａを容易に当接させることが可能になる。
【００２９】
なお、本発明の技術的範囲は前記実施の形態に限定されるものではなく、本発明の趣旨を逸脱しない範囲において種々の変更を加えることが可能である。
例えば、前記実施形態では、前記底部１１ｂの内面として、この内面において、第１外周縁１１ｇがその全長にわたって最も下方に位置されるように全面が傾斜した傾斜平面を示したが、これに代えて、前記底部１１ｂの内面の周縁部のうち、パイプ１６の下端開口部１６ａが開口する部分のみが、この内面において最も下方に位置するように、前記底部１１ｂの内面を形成してもよい。
【００３０】
例えば、底部１１ｂの内面を、前記実施形態のように第２外周縁１１ｈから第１外周縁１１ｇに向けて漸次下方に傾斜させるのに加え、第３外周縁１１ｉと第４外周縁１１ｊとが互いに対向する方向に沿った断面視形状を凹形状にして、第１外周縁１１ｇにおいてパイプ１６の下端開口部１６ａが開口している部分、つまりその長さ方向中央部のみを、この底部１１ｂの内面において最も下方に位置させてもよい。
【００３１】
ここで、前記凹形状は、１つの曲面で構成してもよいし、あるいは第３外周縁１１ｉから第３、第４外周縁１１ｉ、１１ｊが互いに対向する方向の中央部に向かうに従い漸次下方に傾斜した第１傾斜面と、第４外周縁１１ｊから第３、第４外周縁１１ｉ、１１ｊが互いに対向する方向の中央部に向かうに従い漸次下方に傾斜した第２傾斜面と、これらの両傾斜面の下端同士を連結し、かつ第２外周縁１１ｈから第１外周縁１１ｇに向けて漸次下方に傾斜した第３傾斜面と、で構成してもよい。
【００３２】
また、前記実施形態では、底部１１ｂの上面視形状として矩形を示したが、これに代えて、例えば円形状、三角形、若しくは五角以上の多角形としてもよい。
さらに、前記実施形態では、パイプ１６を湾曲させたが、これに代えて、例えばその全長にわたって湾曲させないで前記中心軸線Ｏ方向に沿って延在させてもよい。そして、前記底部１１ｂの内面を、第１〜第４外周縁１１ｇ、１１ｈ、１１ｉ、１１ｊからそれぞれ、この内面の径方向中央部に向かうに従い漸次、下方に向けて傾斜させ、かつ周方向の長さを短くした４つの傾斜面で構成された逆四角錐形状にしてもよい。また、これに代えて、前記底部１１ｂの内面を、その径方向中央部が最も下方に位置されるような凹曲面状に形成してもよい。
【産業上の利用可能性】
【００３３】
残り僅かになっている液体を使用する際に、この液体中にパイプの下端開口部を浸漬させるのに要する時間を短縮することができる。
【図面の簡単な説明】
【００３４】
【図１】本発明の一実施形態として示した押下式液体吐出容器の半断面図である。
【図２】図１に示す押下式液体吐出容器において、Ｘ−Ｘ線矢視断面図である。
【符号の説明】
【００３５】
１０  押下式液体吐出容器
１１  容器本体
１１ａ  口部
１１ｂ  底部
１１ｅ  雄ねじ部
１１ｇ  第１外周縁（周縁部）
１１ｈ  第２外周縁（周縁部）
１１ｉ  第３外周縁（周縁部）
１１ｊ  第４外周縁（周縁部）
１２  ポンプ部
１３  ノズル
１４  押下ヘッド
１５  シリンダ部
１６  パイプ
１６ａ  下端開口部
１７  装着キャップ
１７ｃ  雌ねじ部
Ｏ  中心軸線
【図１】
2008056310.tif 000003
【図２】
2008056310.tif 000004